(57)【要約】  【課題】給水装置に関し、貯水タンクに給水された水をすばやく冷却し、低温に保温することを図る。  【解決手段】扉８を備えた冷蔵庫本体７の庫内側上部に、蒸発器１５が配置されており、蒸発器１５の測部にレール１６と、レール１６の上部にキャップ１０を備えた貯水タンク９と、貯水タンク９に貯水された水を冷蔵庫本体７の扉８の外部へと移動させる、一端が貯水タンク９に接続され、他端が扉８の外部に配置される接続パイプ１１と、接続パイプ１１の他端が接続された開閉装置１２とで構成され、レール１６に沿って貯水タンク９が前に引出され、貯水タンク９のキャップ１０がはずされ、貯水タンク９に水が給水されることにより、蒸発器１５の測部に配置された貯水タンク９が冷却され、貯水タンク９に給水された水をすばやく冷却し、低温に保温することができる。【選択図】図１
2007057151.tif 000002
【特許請求の範囲】
【請求項１】
扉を有する冷蔵庫に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置される給水パイプと、前記貯水タンクを前後に可動させるレールとを有する給水装置において、前記貯水タンクが蒸発器の側部に配置され、貯水タンクが前後に可動することを特徴とした給水装置。
【請求項２】
前記貯水タンクを着脱式としたことを特徴とした請求項１に記載の給水装置。
【請求項３】
前記扉の開閉に同期して前記貯水タンクを前後に可動させるための接続部品を備えたことを特徴とした請求項１または２に記載の給水装置。
【請求項４】
前記給水パイプを伸縮性部材で構成したことを特徴とした請求項１から３のいずれか一項に記載の給水装置。
【発明の詳細な説明】
【技術分野】
【０００１】
本発明は、冷蔵庫の扉の内側に配設された貯水タンクから扉の外側へ冷水を供給する給水装置に関するものである。
【背景技術】
【０００２】
従来、この種の直冷式冷蔵庫の給水装置としては、冷蔵庫の扉の内側に貯水タンクを備え、前記給水タンクに貯水された水を前記冷蔵庫の扉の外側へと移動させるポンプと、一端が前記ポンプに接続され、他端が前記冷蔵庫の扉の外側に配置される給水パイプとを有しているものがある（例えば、特許文献１参照）。
【０００３】
図８は、特許文献１に記載された従来の給水装置を示すものである。図８に示すように冷蔵庫本体１の扉２と、貯水タンク３と、キャップ４と、給水パイプ５と、給水ポンプ６とから構成されている。
【０００４】
以上のように構成された給水装置について、以下その動作を説明する。
【０００５】
まず、冷蔵庫本体１の扉２が開かれ、貯水タンク３のキャップ４が外され、水が給水される。その後、扉２が閉られ、貯水タンク３に給水された水が冷却される。冷却された冷水は、給水ポンプ６により、給水パイプ５を経由して扉２の外側へ給水される。
【特許文献１】特開２００３−２０７２６６号公報
【発明の開示】
【発明が解決しようとする課題】
【０００６】
しかしながら、上記従来の構成では、扉に配置された貯水タンクを冷蔵庫庫内の冷気で冷却するため、貯水タンクに給水された水をすばやく冷却することができず、また、冷蔵庫庫内を凍結しない温度に調節しつつ、貯水タンクの水を低温（約０℃）に保温できないという課題を有していた。
【０００７】
本発明は従来の課題を解決するもので、貯水タンクに給水された水をすばやく冷却し、低温（約０℃）に保温することができるようにした給水装置を提供することを目的とする。
【課題を解決するための手段】
【０００８】
上記従来の課題を解決するために、本発明の給水装置は、扉を有する冷蔵庫に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置される給水パイプと、前記貯水タンクを前後に可動させるレールとを有する給水装置において、前記貯水タンクが蒸発器の側部に配置され、貯水タンクが前後に可動するものである。
【０００９】
これによって、容易に貯水タンクに水を補給でき、かつ、蒸発器により、直接貯水タンクが冷却されるようにしたものである。
【発明の効果】
【００１０】
本発明の給水装置は、貯水タンクが蒸発器の測部に配置され、かつ、貯水タンクを前後に可動させるようにしたことにより、容易に貯水タンクに水を補給でき、貯水タンクの水をすばやく冷却し、低温に保温することができる。
【発明を実施するための最良の形態】
【００１１】
請求項１に記載の発明は、扉を有する冷蔵庫に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置される給水パイプと、前記貯水タンクを前後に可動させるレールとを有する給水装置において、前記貯水タンクが蒸発器の側部に配置され、貯水タンクが前後に可動するものであり、容易に貯水タンクに水を補給でき、かつ、蒸発器により、直接貯水タンクが冷却され、貯水タンクの水をすばやく冷却し、低温に保温することができる。
【００１２】
請求項２に記載の発明は、請求項１に記載の発明において、前記貯水タンクを着脱式としたものであり、使い勝手を向上することができる。
【００１３】
請求項３に記載の発明は、請求項１または２に記載の発明において、前記扉の開閉に同期して前記貯水タンクを前後に可動させるための接続部品を備えたものであり、さらに使い勝手を向上することができる。
【００１４】
請求項４に記載の発明は、請求項１から３のいずれか一項に記載の発明において、前記給水パイプを伸縮性部材で構成したものであり、さらに使い勝手を向上することができる。
【００１５】
以下、本発明の実施の形態について、図面を参照しながら説明する。なお、この実施の形態によってこの発明が限定されるものではない。
【００１６】
（実施の形態１）
図１は、本発明の実施の形態１における給水装置の断面図である。図２は、本発明の実施の形態１における給水装置の上面配置図である。
【００１７】
図１において、扉８を備えた冷蔵庫本体７の庫内側上部に、蒸発器１５が配置されており、蒸発器１５の測部にレール１６と、レール１６の上部にキャップ１０を備えた貯水タンク９と、貯水タンク９に貯水された水を冷蔵庫本体７の扉８の外部へと移動させる、一端が貯水タンク９に接続され、他端が扉８の外部に配置される接続パイプ１１と、接続パイプ１１の他端が接続された開閉装置１２と、開閉装置１２に接続された給水パイプ１３と、開閉装置１２の開閉を行う給水レバー１４で構成されている。
【００１８】
以上のように構成された給水装置について、以下その動作、作用を説明する。
【００１９】
まず、レール１６に沿って貯水タンク９が前に引出され、貯水タンク９のキャップ１０がはずされ、貯水タンク９に水が給水される。給水された水は、接続パイプ１１を通り開閉装置１２で堰き止められる。この時、蒸発器１５により、蒸発器１５の測部に配置された貯水タンク９が冷却され、貯水タンク９に給水された水をすばやく冷却し、低温に保温することができる。
【００２０】
（実施の形態２）
図３は、本発明の実施の形態２における給水装置の断面図である。
【００２１】
図３において、扉８を備えた冷蔵庫本体７の庫内側上部に、蒸発器１５が配置されており、蒸発器１５の測部にレール１６と、レール１６の上部にキャップ１０を備えたレール１６と着脱式とした貯水タンク１７と、貯水タンク１７に貯水された水を冷蔵庫本体７の扉８の外部へと移動させる、一端が貯水タンク１７に接続され、他端が扉８の外部に配置される伸縮性を備えた接続パイプ１１と、接続パイプ１１の他端が接続された開閉装置１２と、開閉装置１２に接続された給水パイプ１３と、開閉装置１２の開閉を行う給水レバー１４で構成されている。
【００２２】
以上のように構成された給水装置について、以下その動作、作用を説明する。
【００２３】
まず、レール１６に沿って貯水タンク１７が前に引出され、貯水タンク１７がレール１６よりはずされる。貯水タンク１７のキャップ１０がはずされ、貯水タンク１７に水が給水される。再びキャップ１０が付けられ、貯水タンク１７がレール１６に装着される。給水された水は、接続パイプ１１を通り開閉装置１２で堰き止められる。この時、蒸発器１５により、蒸発器１５の測部に配置された貯水タンク１７が冷却され、貯水タンク１７に給水された水をすばやく冷却し、低温に保温することができる。
【００２４】
（実施の形態３）
図４は、本発明の実施の形態３における給水装置の断面図である。図５は、本発明の実施の形態３における給水装置の上面配置図である。
【００２５】
図４、５において、扉８を備えた冷蔵庫本体７の庫内側上部に、蒸発器１５が配置されており、蒸発器１５の測部にレール１６と、レール１６の上部にキャップ１０を備えたレール１６と着脱式とした貯水タンク１７と、貯水タンク１７に貯水された水を冷蔵庫本体７の扉８の外部へと移動させる、一端が貯水タンク１７に接続され、他端が扉８の外部に配置される接続パイプ１１と、接続パイプ１１の他端が接続された開閉装置１２と、開閉装置１２に接続された給水パイプ１３と、開閉装置１２の開閉を行う給水レバー１４と、扉８の開閉に合せてレール１６を前後に可動させるための接続部品１８で構成されている。
【００２６】
以上のように構成された給水装置について、以下その動作、作用を説明する。
【００２７】
まず、接続部品１８により、扉８が開かれた時に同期してレール１６に沿って貯水タンク１７が前に引出され、貯水タンク１７がレール１６よりはずされる。貯水タンク１７のキャップ１０がはずされ、貯水タンク１７に水が給水される。再びキャップ１０が付けられ、貯水タンク１７がレール１６に装着され、接続部品１８により、扉８が閉された時に同期して蒸発器１５の側部に貯水タンク１７が配置される。給水された水は、接続パイプ１１を通り開閉装置１２で堰き止められる。この時、蒸発器１５により、蒸発器１５の測部に配置された貯水タンク１７が冷却され、貯水タンク１７に給水された水をすばやく冷却し、低温に保温することができる。
【００２８】
（実施の形態４）
図６は、本発明の実施の形態４における給水装置の断面図である。
【００２９】
図６において、扉８を備えた冷蔵庫本体７の庫内側上部に、蒸発器１５が配置されており、蒸発器１５の測部にレール１６と、レール１６の上部にキャップ１０を備えたレール１６と着脱式とした貯水タンク１７と、貯水タンク１７に貯水された水を冷蔵庫本体７の扉８の外部へと移動させる、一端が貯水タンク１７に接続され、他端が扉８の外部に配置される伸縮性部材で構成した、または、伸縮性を持つ構造を備えた接続パイプ１９と、接続パイプ１９の他端が接続された開閉装置１２と、開閉装置１２に接続された給水パイプ１３と、開閉装置１２の開閉を行う給水レバー１４と、扉８の開閉に合せてレール１６を前後に可動させるための接続部品１８で構成されている。
【００３０】
以上のように構成された給水装置について、以下その動作、作用を説明する。
【００３１】
まず、接続部品１８により、扉８が開かれた時に同期してレール１６に沿って貯水タンク１７が前に引出され、貯水タンク１７がレール１６よりはずされる。貯水タンク１７のキャップ１０がはずされ、貯水タンク１７に水が給水される。再びキャップ１０が付けられ、貯水タンク１７がレール１６に装着され、接続部品１８により、扉８が閉された時に同期して蒸発器１５の側部に貯水タンク１７が配置される。給水された水は、接続パイプ１９を通り開閉装置１２で堰き止められる。この時、応力による接続パイプ１９の破損を防ぎ、蒸発器１５により、蒸発器１５の測部に配置された貯水タンク１７が冷却され、貯水タンク１７に給水された水をすばやく冷却し、低温に保温することができる。
【００３２】
（実施の形態５）
図７は、本発明の実施の形態５における給水装置の断面図である。
【００３３】
図７において、扉８を備えた冷蔵庫本体７の庫内側上部に、蒸発器１５が配置されており、蒸発器１５の測部にレール１６と、レール１６の上部にキャップ１０を備えたレール１６と着脱式とした貯水タンク１７と、貯水タンク１７に貯水された水を冷蔵庫本体７の扉８の外部へと移動させる、一端が貯水タンク１７に接続され、他端が扉８の外部に配置される伸縮性の構造を持つ伸縮性部材で構成した接続パイプ２０と、接続パイプ２０の他端が接続された開閉装置１２と、開閉装置１２に接続された給水パイプ１３と、開閉装置１２の開閉を行う給水レバー１４と、扉８の開閉に合せてレール１６を前後に可動させるための接続部品１８で構成されている。
【００３４】
以上のように構成された給水装置について、以下その動作、作用を説明する。
【００３５】
まず、接続部品１８により、扉８が開かれた時に同期してレール１６に沿って貯水タンク１７が前に引出され、貯水タンク１７がレール１６よりはずされる。貯水タンク１７のキャップ１０がはずされ、貯水タンク１７に水が給水される。再びキャップ１０が付けられ、貯水タンク１７がレール１６に装着され、接続部品１８により、扉８が閉された時に同期して蒸発器１５の側部に貯水タンク１７が配置される。給水された水は、接続パイプ２０を通り開閉装置１２で堰き止められる。この時、応力による接続パイプ２０の破損を防ぎ、蒸発器１５により、蒸発器１５の測部に配置された貯水タンク１７が冷却され、貯水タンク１７に給水された水をすばやく冷却し、低温に保温することができる。
【産業上の利用可能性】
【００３６】
以上のように、本発明にかかる給水装置は、直冷式冷蔵庫の貯水タンクの水をすばやく冷却し、低温に保温することが可能となるので、直冷式冷蔵庫の給水器装置等の用途に適用できる。
【図面の簡単な説明】
【００３７】
【図１】本発明の実施の形態１における給水装置の断面図
【図２】本発明の実施の形態１における給水装置の上面配置図
【図３】本発明の実施の形態２における給水装置の断面図
【図４】本発明の実施の形態３における給水装置の断面図
【図５】本発明の実施の形態３における給水装置の上面配置図
【図６】本発明の実施の形態４における給水装置の断面図
【図７】本発明の実施の形態５における給水装置の断面図
【図８】従来の給水装置の断面図
【符号の説明】
【００３８】
７    冷蔵庫本体
８    扉
９    貯水タンク
１０  キャップ
１１  接続パイプ
１２  開閉装置
１３  給水パイプ
１４  給水レバー
１５  蒸発器
１６  レール
１７  貯水タンク
１８  接続部品
１９  接続パイプ
２０  接続パイプ
【図１】
2007057151.tif 000003
【図２】
2007057151.tif 000004
【図３】
2007057151.tif 000005
【図４】
2007057151.tif 000006
【図５】
2007057151.tif 000007
【図６】
2007057151.tif 000008
【図７】
2007057151.tif 000009
【図８】
2007057151.tif 000010